(57)【特許請求の範囲】
【請求項１】
薬剤容器に付された識別情報を読み取る読取装置と調剤指示が入力される入力装置とが付設された複数の調剤機器と、前記複数の調剤機器から、調剤対象の薬剤容器の前記識別情報及び前記調剤指示に含まれる処方箋番号を収集する情報収集手段と、前記情報収集手段から受信した前記識別情報及び前記処方箋番号に基づいて、薬剤情報を処方箋情報に付加して提示する監査支援装置とが、通信回線を介して接続される調剤システムであって、
前記監査支援装置は、
入力手段と、
前記薬剤容器の収容薬剤の情報であって極量値など監査に役立つ薬剤情報が前記薬剤容器の識別情報に対応付けられた第１対応付けデータを記憶する記憶装置とを備え、
前記情報収集手段から受信した前記識別情報であって前記入力手段に入力された処方箋番号に対応する識別情報に基づいて、前記第１対応付けデータを検索して前記薬剤情報を取得するとともに、前記入力された処方箋番号に対応する処方箋情報を処方オーダリングシステム又は前記入力手段から取得して、前記入力された処方箋番号に一致する前記薬剤情報と前記処方箋情報とを並べて表示することを特徴とする調剤システム。
【請求項２】
前記監査支援装置の記憶装置には第２対応付けデータが記憶されており、前記第２対応付けデータには各薬剤の特徴データの番号が前記薬剤容器のうち収容先の容器の識別情報に対応付けされて保持されており、前記監査支援装置が、調剤済み薬剤を撮像してパターン認識および計数の処理を行うものであって、そのパターン認識に際し前記第２対応付けデータを利用して前記薬剤容器の識別情報から対応する特徴データを求めることにより認識用特徴データを得るようになっていることを特徴とする請求項１記載の調剤システム。
【請求項３】
前記監査支援装置の記憶装置には第３対応付けデータが記憶されており、前記第３対応付けデータには前記薬剤容器の識別情報と該薬剤容器の使用される調剤部門の情報とが対応付けされて保持されており、
前記監査支援装置が、再確認の対象薬剤を選択する手段と、その選択された薬剤について前記第３対応付けデータを利用して前記薬剤容器の識別情報から対応する調剤部門のデータを求める手段と、その検索で得た調剤部門の情報を提示する手段とを具えている
ことを特徴とする請求項１又は請求項２に記載された調剤システム。
【請求項４】
前記監査支援装置の記憶装置には第３対応付けデータが記憶されており、前記第３対応付けデータには前記薬剤容器の識別情報と該薬剤容器の使用される調剤部門の情報とが対応付けされて保持されており、
前記監査支援装置が、再確認の対象薬剤を選択する手段と、その選択された薬剤について前記第３対応付けデータを利用して前記薬剤容器の識別情報から対応する調剤部門のデータを求める手段と、その検索で特定された調剤部門に監査対象の薬剤を返送する手段とを具えている
ことを特徴とする請求項１又は請求項２に記載された調剤システム。
【発明の詳細な説明】
【０００１】
【発明の属する技術分野】
この発明は、複数・多数の調剤機器と最終監査の支援装置とを含む調剤システムに関し、詳しくは、それらの調剤結果を最終監査に利用できる調剤システムに関する。
このような調剤システムは、薬局部が幾つかの調剤部門と最終監査部門とに分かれている病院薬局等に好適なものであるが、そうでない小規模の薬局等にも適している。
【０００２】
【従来の技術】
処方箋やそれに基づく調剤指示箋に従い各種の調剤機器を利用して自動で又は手作業で調剤がなされた後、調剤済み薬剤は、適宜の薬袋やトレイ等に処方箋単位や患者単位で纏められ、最終監査に回されるが、その際、最終監査者は、広範な知識に基づく的確な判断に加えて、大量の作業を効率良く遂行することが求められる。そこで、その作業負担を軽減する等のために、各調剤部門では担当部分の調剤監査が行われるとともに、監査部門では、処方箋情報に加えて、調剤指示箋や、調剤内容を印刷した調剤票、調剤監査の結果を記入した調剤監査票なども、調剤済み薬剤と一緒に収集し、それらを参照しながら最終監査が行われる。薬剤を撮って画面に拡大表示する監査支援装置なども利用可能となっているが、どのような場合でも、最終監査者がその目で見て確認するという作業を怠ることはできない。
【０００３】
【発明が解決しようとする課題】
ところで、このような従来の手法では、処方箋情報以外の付加情報がそれぞれ該当場所でバラバラに作成され、最終監査に際してはそれらを単に集めたものが利用できるにすぎない。このため、参照はできても処方箋情報との対比確認が容易になるとは必ずしも言えない状況であった。
そこで、最終監査者の負担軽減を更に進めるために、調剤情報や監査支援情報などを自動収集するとともに、それを処方箋情報と対比し易い形で提示できるようにすることが重要な課題となる。
【０００４】
しかしながら、薬剤の種類や形態は多種多様であり、それに対応して更には設備投資額の多寡等にも依存して、調剤機器の自動化レベルは全自動から全手動まで多岐に亘り、薬剤情報の持ち方も多種多様となっている。薬剤情報を持たないものも有る。そのため、それらの薬剤情報を単純に自動収集しようとしたのでは、データ収集の完全な自動化は容易では無く、その自動化が図れたとしてもそれを最終監査に役立てるのは更に容易では無い。また、例え、役に立つ監査支援装置を一旦は作り上げたとしても、それを含んだ調剤システムに新たな調剤機器が追加されたり、調剤機器が設置済みであっても改造されたりすると、それに対応してその度に、監査支援装置にも可成りの改造を施すことが必要となる。
【０００５】
そこで、最終監査の負担軽減のために調剤対象の薬剤情報を収集してそれを処方箋情報と対比提示するに際し、各調剤機器の自動化レベル等に左右されること無く統一的処理が行えるようシステム構成に工夫を凝らすことが技術的な課題となる。
この発明は、このような課題を解決するためになされたものであり、薬剤容器の識別情報を利用することにより処方箋情報と薬剤情報との対比提示等を統一的に処理しうる調剤システムを実現することを目的とする。
【０００６】
【課題を解決するための手段】
このような課題を解決するために発明された第１乃至第４の解決手段について、その構成および作用効果を以下に説明する。
【０００７】
［第１の解決手段］
第１の解決手段の調剤システムは、出願当初の請求項１に記載の如く、（薬剤瓶や薬剤フィーダ等の）薬剤容器に付された識別情報を読み取る読取装置が付設された複数の（調剤台や自動調剤装置等の）調剤機器と、これらの調剤機器から調剤対象の薬剤容器の識別情報を収集する情報収集手段と、収集された識別情報を用いて薬剤情報の検索を行うとともにその検索で得た薬剤情報を処方箋情報に付加して提示する監査支援装置とを備えたものである。
【０００８】
このような第１の解決手段の調剤システムにあっては、各種の薬剤は、幾つかの調剤機器で分担して調剤され、収集されてから、最終監査に供されるが、その際、監査者は、処方箋情報に加えて、実際に調剤された薬剤の情報も参照することが可能となる。しかも、その薬剤情報は、各薬剤容器に識別情報を付しておくことで、個々の薬剤容器毎にきめ細かく設定しうるうえ、その識別情報の状態で情報の自動収集がなされるとともに、監査支援装置側で検索処理が施されて、その後に提示可能なものとなる。
【０００９】
そこで、薬剤容器の識別情報に一連番号等の単純なデータ形式を採用しておけば容易に、各調剤機器の自動化レベルや自動化手法等の束縛を受けることなく、具体的には各調剤機器毎の薬剤情報の持ち方などに依存することなく、処方箋情報と薬剤情報との対比提示等を統一的な処理で行うことが出来る。また、そのような識別情報の木目細かな収集等により、例えば薬効の等しい異形の薬剤が調剤されたような場合でもそれまで反映させた細やかな提示ができるので、その点でも監査作業の負担が軽減される。
【００１０】
［第２の解決手段］
第２の解決手段の調剤システムは、出願当初の請求項２に記載の如く、上記の第１の解決手段の調剤システムであって、前記監査支援装置が、調剤済み薬剤を撮像してパターン認識および計数の処理を行うものであり、しかも、そのパターン認識に際し前記識別情報を用いて認識用特徴データの検索を行うようになっている、というものである。
【００１１】
このような第２の解決手段の調剤システムにあっては、適切な特徴データの採択によってパターン認識の能力が向上し、その結果、自動監査の精度および処理能力が向上するので、その分だけ監査者の作業負担が更に軽減される。
【００１２】
［第３の解決手段］
第３の解決手段の調剤システムは、出願当初の請求項３に記載の如く、上記の第１，第２の解決手段の調剤システムであって、前記監査支援装置が、（操作入力にて手動で又は計数結果に基づき自動で）再確認の対象薬剤を選択する手段と、その選択された薬剤について前記識別情報を用いて調剤部門のデータ検索を行う手段と、その検索で得た調剤部門の情報を提示する手段とを具えている、というものである。
【００１３】
このような第３の解決手段の調剤システムにあっては、最終監査において疑義が生じたときには、疑義のある薬剤を調剤した部門が直ぐ判るので、そこへ監査対象薬剤を返送する。
これにより、監査結果を確定する前に最適の調剤部門で再確認が行われ、その確認結果も利用して再監査が行えるので、最終監査者の作業負担が軽減されるうえ、最終監査の確度が向上する。
【００１４】
［第４の解決手段］
第４の解決手段の調剤システムは、出願当初の請求項４に記載の如く、上記の第１，第２の解決手段の調剤システムであって、前記監査支援装置が、（操作入力にて手動で又は計数結果に基づき自動で）再確認の対象薬剤を選択する手段と、その選択された薬剤について前記識別情報を用いて調剤部門のデータ検索を行う手段と、その検索で特定された調剤部門に監査対象の薬剤を返送する手段とを具えている、というものである。
【００１５】
このような第４の解決手段の調剤システムにあっては、最終監査において疑義が生じたときには、疑義のある薬剤を調剤した部門へ自動で監査対象薬剤が返送される。
これにより、監査結果を確定する前に最適の調剤部門で再確認が行われ、その確認結果も利用して再監査が行えるので、最終監査者の作業負担が軽減されるうえ、最終監査の確度が向上する。
【００１６】
【発明の実施の形態】
このような解決手段で達成された本発明の調剤システムについて、これを実施するための形態を幾つか説明する。
【００１７】
［第１の実施の形態］
本発明の第１の実施形態は、上述した解決手段の調剤システムであって、前記調剤機器の何れかに次の薬剤フィーダが装着されているものである。
すなわち、その薬剤フィーダは、薬剤を収容する容器部と、その中で回転可能に設けられた整列盤と、前記容器部と前記整列盤との環状間隙の端部に形成された排出口に対向させて設けられ前記環状間隙の一部を仕切る仕切板とを備えた薬剤フィーダにおいて、前記容器部および前記整列盤が硬質部材からなり、前記仕切板が軟質部材からなる、というものである。
ここで、上記の「硬質」か「軟質」は、ヤング率等の弾性率が相対的に大きいか小さいかによって決められる。部材の破損や永久変形を招かない通常の使用状態では、一時的な変形による緩衝やにげが重要であり、弾性限は問題とならないからである。なお、塑性変形した損傷部品の交換まで考慮すれば、硬質の整列盤等の弾性限が交換容易な軟質の仕切板の弾性限を上回る方が良い。
【００１８】
このような薬剤フィーダにあっては、容器部に錠剤等の薬剤を収容しておいて整列盤を回転させると、その回転に伴い、収容薬剤が環状間隙に落ちて整列させられるとともに順に排出口の上へ送られてそこから落下排出させられる。また、そのとき排出薬剤の上に来ていた他の薬剤は、仕切板の上に乗り上げて排出口への落下を阻止されるが、その仕切板が従来の堅い部材から軟質のものに変わっていることから、そのときの薬剤と仕切板との当たり具合が従来より多少強くなっても、仕切板の端部等の一時的変形によってショックが緩和されるので、薬剤の損傷は回避される。これにより、仕切板の取付位置の精度すなわち環状間隙の排出口側端面から仕切板までの高さ精度を従来より緩和しても、従来と同等かそれ以上に適切な動作結果が得られることとなり、その結果、仕切板の高さ調整が楽になる。
【００１９】
［第２の実施の形態］
本発明の第２の実施形態における薬剤フィーダは、上記第１の実施形態のものであって、前記仕切板に鈎爪等の第１係着部が形成され、前記仕切板の保持部に小孔等の第２係着部が複数形成され、前記第２係着部が何れも前記第１係着部に適合している、というものである。
このような薬剤フィーダにあっては、仕切板の装着が、複数の第２係着部のうちから取扱対象薬剤に適合するものを選び出してそこに第１係着部を係着させることで、行われる。仕切板をずらしたり傾けたりしながらネジ止めすることは行われない。これにより、仕切板の高さが微妙で難しい調整でなく簡単な選択にて設定され、その仕切板はやはり簡単な係着にて保持されることとなる。しかも、そのようにしても、仕切板が柔らかいものになっていてその取付位置精度が緩和されているので、薬剤損傷のおそれはない。その結果。仕切板の高さ調整が不要となる。
【００２０】
［第３の実施の形態］
本発明の第３の実施形態における薬剤フィーダは、上記第１，第２の実施形態のものであって、多数の隔壁が、前記整列盤の側周面に列設されて前記環状間隙を区分しており、それら隔壁間の距離が前記仕切板と前記排出口との距離より短く、且つ、何れの隔壁も前記環状間隙のうち前記仕切板と前記排出口との間を通る環状部分に収まっている、というものである。
【００２１】
仕切板の材質を堅いものから柔らかいものに変えてその取付位置精度が緩和されたことにより、仕切板の取付位置の精度すなわち環状間隙の排出口側端面から仕切板までの高さ精度を従来より緩和しても、さらに予備整列を省いても、従来と同等かそれ以上に適切な動作結果が得られる。その結果、仕切板より高いところにまで隔壁を設け無くても、カプセル剤も含めてほとんどの薬剤を適切に処理することが可能となるので、従来は隔壁を複列化せざるを得なかった薬剤フィーダであっても、すなわち一瞥で視認可能なほど隔壁間の距離が仕切板と排出口との距離より短い薬剤フィーダであっても、隔壁が単列で済み、薬剤の収容効率が良くなる。したがって、この実施形態によれば、取扱対象がカプセル剤等であっても収容効率が良く而も仕切板の高さ調整が楽な薬剤フィーダを実現することができる。
【００２２】
［第４の実施の形態］
本発明の第４の実施形態における薬剤フィーダは、上記第１〜第３の実施形態のものであって、前記仕切板のうち前記環状間隙に来る部分が鋸歯状または櫛歯状に形成されている、というものである。
このような薬剤フィーダにあっては、仕切板のうち薬剤と最も強く当接するところである環状間隙内の部分が、鋸歯状または櫛歯状に形成されて、さらに変形し易くなっているので、ショック緩和の働きが向上する。したがって、この実施形態によれば、収容効率が良く而も仕切板の高さ調整が一層楽な薬剤フィーダを実現することができる。
【００２３】
［第５の実施の形態］
本発明の第５の実施形態における薬剤フィーダは、上記第１〜第４の実施形態のものであって、前記整列盤の外周面に溝が形成され、その溝に前記仕切板の先端が遊挿されている、というものである。
このような薬剤フィーダにあっては、仕切板の先端に生じる不所望な上下方向変位が溝によって抑制される。これにより、仕切板をその基部・基端側で支持して挿着するような保持態様を採用していても、先端の過剰変形を気にしないで仕切板を更に柔らかくすることが可能となるので、より広範な材質や形状の薬剤を適切に取り扱うことができる。したがって、この実施形態によれば、収容効率が良く而も仕切板の高さ調整が一層楽な薬剤フィーダを実現することができる。
【００２４】
［第６の実施の形態］
本発明の第６の実施形態における薬剤フィーダは、上記第１〜第５の実施形態のものであって、見本収納室の形成された蓋が前記容器部に対し開閉可能に連結されている、というものである。
このような薬剤フィーダにあっては、仕切板が柔らかくなって取付位置精度が緩和されていることに加えて、蓋が開閉しても容器部から離れないようになっている。これにより、仕切板の高さ変更等のために薬剤フィーダから薬剤を抜き取った後や、収容薬剤を排出し終えて薬剤フィーダが空になったとき等、薬剤フィーダに薬剤を補充するに際して、見本が蓋と一緒に離れてしまうことが無いので、容易かつ確実に作業が行われる。したがって、この実施形態によれば、収容効率が良く而も仕切板の高さ調整に加えて薬剤補充も楽な薬剤フィーダを実現することができる。
【００２５】
このような解決手段や実施形態で達成された本発明の調剤システムについて、これを実施するための具体的な形態を、以下の第１〜第８実施例により説明する。
図１に示した第１実施例は、上述した第１の解決手段を具現化したものであり、図２に示した第２実施例は、上述した第１，第２の解決手段を具現化したものであり、図３に示した第３実施例は、上述した第１〜第３の解決手段を具現化したものであり、図４に示した第４実施例は、上述した第１〜第４の解決手段を具現化したものである。また、図５〜図９に示した第５実施例は、上述した第１，第２の実施形態を具現化したものであり、図１０〜図１２に示した第６実施例は、上述した第３実施形態を具現化したものであり、図１３に示した第７実施例は、上述した第４，第５の実施形態を具現化したものであり、図１４に示した第８実施例は、上述した第６の実施形態を具現化したものである。
【００２６】
【第１実施例】
本発明の調剤システムの第１実施例について、その具体的な構成を、図面を引用して説明する。図１は、その概要構成を示しており、（ａ）が全体ブロック図、（ｂ）が錠剤分包機の内部構造を示す模式図、（ｃ）がそれに多数組み込まれている薬剤フィーダの側面外観図、（ｄ）がその縦断側面図である。
【００２７】
この調剤システムは（図１（ａ）参照）、調剤部門と最終監査部門とに亘るものであり、調剤部門には複数の調剤機器として錠剤分包機１０と調剤台３０とが設けられ、監査部門には監査支援装置５０が設けられている。また、それら部門間に亘る情報収集手段４０も設けられており、それによって、錠剤分包機１０及び調剤台３０と監査支援装置５０とが情報収集に必要な通信等を行えるようになっている。なお、処方オーダリングシステム４５は、この調剤システムには含まれないが、処方箋情報等を監査支援装置５０や錠剤分包機１０にオンラインで送信する例として挙げたものである。
【００２８】
錠剤分包機１０は（図１（ｂ）参照）、代表的な自動調剤装置であり、その詳細な構成等は後述するが、キーボードや文字読取装置等からなり処方箋や調剤指示箋に記載された調剤情報を入力する入力装置９に加えて、各種の錠剤１を種類分けして収容した薬剤フィーダ１３が多数設けられている。そして、調剤指示等に従って該当する薬剤フィーダ１３から必要個数の薬剤１を排出させるとともに、それを服用単位や施用単位で区分しながら包装帯２にて分包するようになっている。
【００２９】
薬剤フィーダ１３は（図１（ｃ），（ｄ）参照）、大抵、薬剤補充作業の容易化等のために容器部１３ｂ（薬剤容器）がベース１３ｋに対して着脱しうるようになっており、さらに、装着した容器部１３ｂとベース１３ｋとの照合等を可能とするために、容器部１３ｂにはデータキャリア７が付設され、ベース１３ｋにはデータリーダ８（読取装置）が付設されている。また、それぞれのデータキャリア７には付設先の容器部１３ｂ毎に割り振られた識別番号（薬剤容器の識別情報）が記憶保持されている。そして、容器部１３ｂをベース１３ｋに装着すると、そのデータキャリア７からデータリーダ８によって識別番号が読み取られるようになっている。
【００３０】
調剤台３０は（図１（ａ）参照）、秤量等の作業を行うための作業台部や、各種の散薬等を種類分けして収容した多数の薬剤瓶３３（薬剤容器）を並べて乗せ置くための棚部に加えて、キーボードや文字読取装置等からなり処方箋や調剤指示箋に記載された調剤情報を入力する入力装置３１が設けられており、その調剤情報に基づいて、秤量の指示値を見やすく表示したり、それと秤量値との自動チェック等を行うようになっている。また、調剤台３０にバーコードリーダ３２（読取装置）が付設されるとともに、各薬剤瓶３３にはそれに割り振られた識別番号（薬剤容器の識別情報）を印刷したバーコードラベル３４が貼付されていて、薬剤瓶３３のバーコードラベル３４をバーコードリーダ３２で読み取らせることで調剤台３０に薬剤瓶３３の識別番号を入力することができるようになっている。
【００３１】
これらの錠剤分包機１０や調剤台３０は、いずれも、調剤の進行に伴って随時または一纏まりの調剤を終えたとき、調剤の対象となった薬剤容器の識別番号を処方箋番号と共に情報収集手段４０に引き渡すようになっている。
情報収集手段４０は、複数・多数の調剤機器から薬剤容器の識別情報を収集できれば、イーサネットやＴＣＰ／ＩＰ等の一般的な通信規約に則ったものでもそれ以外の独自規格のものでも良く、有線方式でも無線方式でも良く、マルチドロップ方式でもそうでなくても良い。収集した識別情報は監査支援装置５０に引き渡されるが、識別番号も処方箋番号も単純な情報なので調剤機器に依らない共通形式のデータで例えば所定桁数の十進数データに誤り訂正コードを付加しただけのデータ形式で収集され引渡されるようになっている。
【００３２】
監査支援装置５０は、錠剤分包機１０や調剤台３０等から運ばれて来た調剤済み薬剤１を広げて監査するために最低限必要な監査台５１に加えて、最終監査作業者の負担を軽減するために、記憶装置６０やディスプレイ７０の付設された監査支援装置本体５２が設けられたものである。記憶装置６０は、電源を落としても記憶データを保持し続けるハードディスク等からなり、これには、対応表６１と薬品マスターファイル６２とが記憶されている。対応表６１には、調剤対象となりうる総ての薬剤容器について、その識別番号に対応付けされて、それに収容される薬剤の薬品コードが保持されている。薬品マスターファイル６２には、各種の薬剤について、その薬品コードに対応付けされて、薬品名や、極量／極大値、配合変化・配合禁忌の有無など、監査に役立つ薬剤情報が保持されている。
【００３３】
監査支援装置本体５２は、マイクロプロセッサシステムやパソコン等の情報処理装置からなり、そのプログラム処理によって、処方オーダリングシステム４５やその他の図示しない入力装置から処方箋情報を受け取るとともに、情報収集手段４０からはそれで収集した各薬剤容器の識別番号および処方箋番号を受け取って、それに基づく検索処理や提示処理を行うものであり、その検索処理では、対応表６１を利用して薬剤容器の識別番号からそれに対応する薬品コードを求め、さらに薬品マスターファイル６２を利用して薬品コードから薬品名等の薬剤情報を得るようになっている。また、提示処理では、処方箋番号の一致するものについてディスプレイ７０の処方箋情報表示領域７１に処方箋情報を表示するとともにディスプレイ７０の薬剤情報表示領域７２には検索処理で得た薬剤情報を表示するようになっている。これにより、監査支援装置５０は、識別情報を用いた検索にて得た薬剤情報を処方箋情報に付加して提示するものとなっている。
【００３４】
この第１実施例の調剤システムについて、その使用態様及び動作を説明する。
【００３５】
使用に先だって、多数の薬剤フィーダ１３や薬剤瓶３３にはそれぞれを識別可能な例えば一連の識別番号を付しておく。また、それらの識別番号に対応する薬品コードを対応表６１に設定するとともに、それらの薬品コードに対応する薬品名等の薬剤情報を薬品マスターファイル６２に設定しておく。なお、薬品マスターファイル６２は、この調剤システムで調剤対象となりうる各種薬剤をカバーしていれば、既存のデータベースを複製して流用することも可能であり、その方が便利である。
【００３６】
そして、処方箋が発行され、それから派生した調剤指示が入力装置９や処方オーダリングシステム４５を介して錠剤分包機１０に与えられると、錠剤分包機１０によって錠剤等の薬剤１の分包処理が遂行される。そして、その調剤済み薬剤１については、調剤指示箋等に基づき調剤監査者によって調剤監査が行われ、問題が無ければ、人手で運ばれて又は自動搬送されて、最終監査に回される。また、その分包処理時に薬剤１を排出した薬剤フィーダ１３に割り振られた識別番号が、排出の度にデータリーダ８でデータキャリア７から読み出されて、或いは装着時や電源投入時等に予め読み出して記憶していたメモリから読み出されて、調剤指示に含まれていた処方箋番号と共に、情報収集手段４０を介して、監査支援装置本体５２に通知される。
【００３７】
一方、同じ処方箋から派生した別の調剤指示が入力装置３１を介して調剤台３０に与えられると、散薬秤量等の指示が表示されるので、それを見て調剤作業者は、該当する薬剤瓶３３から収容薬剤１を必要量だけ取り出すとともに、その薬剤瓶３３のバーコードラベル３４をバーコードリーダ３２で読み取らせる。そうすると、それで読み取られた薬剤瓶３３の識別番号が、やはり、調剤指示に含まれていた処方箋番号と共に情報収集手段４０を介して監査支援装置本体５２に通知される。また、その調剤済み薬剤１についても、調剤指示箋等に基づき調剤監査者によって調剤監査が行われ、問題が無ければ、人手で運ばれて又は自動搬送されて、最終監査に回される。
【００３８】
そして、調剤済み薬剤１の揃ったところで、最終監査者は、それを監査台５１上に監査し易いよう広げるとともに、監査支援装置５０に対してその処方箋番号を図示しない入力装置等から入力する。そうすると、監査支援装置５０では、その処方箋番号に対応する処方箋情報が、処方オーダリングシステム４５からダウンロードされ、ディスプレイ７０の処方箋情報表示領域７１に表示される。なお、処方オーダリングシステム４５が作動していない場合や使用できない場合には、ローカルな入力装置等を用いて、処方箋番号を含む処方箋情報の総てを、監査支援装置本体５２に入力する。
【００３９】
いずれの場合でも、監査支援装置５０では、処方箋情報表示領域７１への処方箋情報の表示に加えて、薬剤情報表示領域７２への薬剤情報の表示も行われる。すなわち、同じ処方箋番号と一緒に収集された薬剤容器の識別番号について、対応表６１及び薬品マスターファイル６２に対する検索が行われ、該当する薬剤情報が次々とディスプレイ７０の薬剤情報表示領域７２に表示される。
こうして、調剤対象の薬剤情報が、処方箋単位で統合され、処方箋情報と並べて表示されるので、最終監査者はその対比確認を容易に行える。
【００４０】
また、この調剤システムに新たな調剤機器が追加され、それが錠剤分包機１０とも調剤台３０とも異なるものである場合でも、その調剤機器に薬剤容器の識別情報の読取装置と情報収集手段４０への識別情報引渡機能とを持たせれば、監査支援装置５０の改造無しで又は対応表６１への一寸したデータ追加で簡単に、追加調剤機器を使用した調剤についても、調剤対象の薬剤情報が収集され、処方箋情報と対比しての提示もなされることとなる。
こうして、この調剤システムにあっては、最終監査の負担が軽くて済むという利点を損なうことなく、しかも容易に、システムを拡張することができる。
【００４１】
【第２実施例】
図２に監査支援装置のブロック図を示した本発明の調剤システムが上述した第１実施例のものと相違するのは、監査支援装置５０が監査対象薬剤の自動計数を行う点である。
【００４２】
そのため具体的には、計数対象の調剤済み薬剤を乗せおく撮影台８０が監査台５１の上面に設けられ、それを上から撮れるところにカメラ８１が設置され、それで撮った画像を対象にパターン認識処理を行ってから計数処理を行うように監査支援装置本体５２及び記憶装置６０が機能拡張されている。また、カメラ８１で撮った画像をそのまま表示するモニタ画面８２や、パターン認識のための前処理等を施された後の画像データを表示する認識画面８３も、ディスプレイ７０とは別に又はディスプレイ７０の画面を借用して設けられている。
【００４３】
記憶装置６０には、対応表６３と特徴データファイル６４とが追加され、そのうち特徴データファイル６４には、各種の薬剤について、全薬剤のパターン認識に役立つ共通の特徴データが保持されている他、個々の薬剤に特有の特徴データも番号付けされて保持されている。また、対応表６３には、個別薬剤に特有の特徴データの番号が、その薬剤を収容している薬剤容器の識別番号に対応付けされて、保持されている。
【００４４】
監査支援装置本体５２は、カメラ８１から入力した画像データ５３を保持するフレームメモリ領域が確保されるとともに、画像処理ルーチン５４が追加インストールされていて、自動計数モード時には、画像データ５３に対して前処理を施してそれを認識画面８３に表示し、それから画像データ５３に基づいて薬剤の種類と位置とを特定するパターン認識を行い、最後に薬剤の個数を種類毎に数え上げる。前処理では、ノイズ除去や，先鋭化，回転伸縮，座標変換など、どの薬剤にも共通する画像処理を行うが、パターン認識処理では、特徴データファイル６４における共通の特徴データを利用することに加えて、検索処理で得た個別薬剤に特有の特徴データも利用するようになっている。
【００４５】
具体的には、計数対象薬剤に関して収集された薬剤容器の識別情報から対応表６３を利用してそれに対応する特徴データの番号を求め、さらに特徴データファイル６４を利用して特徴データ番号から特有の特徴データを得る。そのような検索処理にて特有の特徴データが得られないときには共通の特徴データだけでパターン認識を行い、特有の特徴データが得られればそれと共通の特徴データと両方用いてパターン認識を行うようになっている。また、薬剤容器の識別番号に基づいて対応表６３を検索したときに、その薬剤容器に収容されている薬剤に特有の特徴データに加えて、その薬剤容器に収容されていないが紛らわしい他の薬剤に特有の特徴データも得られるようにしても良い。
【００４６】
この場合、最終監査者が監査対象の薬剤１を撮影台８０上に広げて監査支援装置５０に自動計数を指示すると、監査支援装置５０では、それらの薬剤１の像がカメラ８１によって撮られてモニタ画面８２にそのまま表示されるとともに、監査支援装置本体５２によって処理された画像データ５３が認識画面８３に表示される。そこで、最終監査者は、それらの画面を見て、必要と思ったときには、撮影台８０上の薬剤１を広げなおしたりする。
【００４７】
さらに、監査支援装置本体５２では、画像処理ルーチン５４の処理が進められ、それによって、そのとき監査対象となっている処方箋の番号に基づいて計数対象薬剤に関する薬剤容器の識別番号が集められ、それらを用いて対応表６３及び特徴データファイル６４に対する認識用特徴データの検索が行われ、その特徴データを用いてパターン認識が行われ、さらに薬剤１の個数が種類毎に集計される。
【００４８】
こうして、この調剤システムにあっては、監査対象薬剤の数え上げが自動計数で行われるとともに、その目視確認が見やすい画面で行われるので、最終監査の作業が楽になる。しかも、その自動計数やそのためのパターン認識処理に際して、個別薬剤に特有の特徴データも利用していることから、認識率が向上して、計数結果の信頼性が高まるので、最終監査の作業は一段と楽になる。さらに、そのようにしても、薬剤情報の自動収集等を直接的に行うのでなく薬剤容器の識別情報を利用して間接的に行うようになっていることから、調剤システムへの新規調剤機器の追加等に対してはパターン認識手段や計数手段も含めて監査支援装置５０の改造がほとんど要らないので、この調剤システムにあっても、最終監査の負担が軽くて済むという利点を損なうことなく、しかも容易に、システムを拡張することができる。
【００４９】
【第３実施例】
図３に監査支援装置のブロック図を示した本発明の調剤システムが上述した第２実施例のものと相違するのは、監査支援装置５０が調剤部門の提示も行うように機能拡張されている点である。
【００５０】
具体的には、記憶装置６０に対応表６５が追加され、そこに、調剤対象となりうる総ての薬剤容器について、その識別番号に対応付けされて、その薬剤容器の使用される調剤部門の情報が記憶される。また、監査支援装置本体５２には、選択ルーチン５５と検索ルーチン５６と提示ルーチン５７とが追加インストールされる。これらのルーチン５５〜５７は、部門提示モードのとき順に実行されるが、その部門提示モードへのモード切換は、最終監査者のモード指示等による場合の他、上述した自動計数の処理中に認識不能な又は判別困難な事態が生じたような場合にも自動で、行われるようになっている。
【００５１】
選択ルーチン５５は、最終監査者がマウス８４やキーボード８５等を操作して何れかの画面７０，８２，８３上で再確認したい薬剤１を特定したときや、パターン認識では判別できた薬剤１についての計数値が処方箋情報のものと一致しないときなど、その薬剤１を再確認の対象薬剤すなわち該当調剤部門提示の対象として選定するとともに、その選択内容を容易に目視確認しうるよう各画面７０，８２，８３上の該当個所の強調表示等も行う、といった処理を行うようになっている。
【００５２】
検索ルーチン５６は、その選択された薬剤について、それを対応表６１の検索で求めたときの薬剤容器の識別番号を再び用い、その識別番号から対応表６５を利用してそれに対応する調剤部門の情報を求める、といった処理を行うようになっている。
提示ルーチン５７は、その検索にて得られた調剤部門の情報をディスプレイ７０における調剤部門表示７３の領域に目立つように表示する、という処理を行うものである。
【００５３】
この場合、最終監査者が監査対象の薬剤１を撮影台８０上に広げて監査支援装置５０に自動計数を指示し、その自動計数で個数不一致等が発生すると、監査支援装置本体５２の動作モードが自動的に部門提示モードに切り替わり、その不一致等の該当薬剤が自動選択される。また、自動計数では異常が見当たらない場合でも、最終監査者が、各画面７０，５１，８２を見て疑念を抱いたとき等には、手動で、監査支援装置本体５２の動作状態を部門提示モードに切り替え、それから再確認したい薬剤１を選択する。
【００５４】
すると、続いて、その選択された薬剤１に関して調剤を担当している調剤部門の名称や案内情報がディスプレイ７０に表示されるので、最終監査者は、その調剤部門表示７３を参照して監査対象薬剤の返送先を知ることができる。そして、必要と判断すれば、その調剤部門へ返送して、そこでの調剤監査からやり直して貰う。
【００５５】
こうして、この調剤システムにあっては、最終監査時に生じた再確認の作業を、最終監査者だけが負担するのでなく、適切な調剤部門と分担しあって迅速に済ませることができるので、最終監査者の負担が一段と軽減される。しかも、そのようにしても、薬剤情報の自動収集等を直接的に行うのでなく薬剤容器の識別情報を利用して間接的に行うようになっていることから、調剤システムへの新規調剤機器の追加等に対しては調剤部門の提示手段も含めて監査支援装置５０の改造がほとんど要らないので、この調剤システムにあっても、最終監査の負担が軽くて済むという利点を損なうことなく、しかも容易に、システムを拡張することができる。
【００５６】
【第４実施例】
図４（ａ）に監査支援装置５０のブロック図を示し同図（ｂ）にシステム全体の概要配置を示した本発明の調剤システムが上述した第３実施例のものと相違するのは、最終監査部門から調剤部門への薬剤返送が搬送装置９０を用いて自動で行われる点である。
【００５７】
搬送装置９０は（図４（ａ）参照）、トレイ９１を搬送可能な適宜のベルトコンベア等からなり、水平に延びた状態で監査台５１の脚部等に組み込まれる。
監査台５１の上面のうち撮影台８０の下に当たるところには貫通穴５１ａが形成され、監査台５１の脚部前面にはトレイ９１を搬送装置９０上に乗せるための窓５１ｂが形成され、監査台５１の上面のうち搬送装置９０の上方に当たるところで撮影台８０と干渉しないところにも貫通穴５１ｃが形成され、その貫通穴５１ｃの上には追加のプリンタ９２が置かれる。撮影台８０も改造されて、中央部が大きく開閉するようになっている。
【００５８】
この例では（図４（ｂ）参照）、そのような監査支援装置５０が監査室９３（監査部門）に２台列設され、錠剤調剤室９４（幾つかの調剤部門の一つ）には錠剤分包機１０が２台（複数台・多数台）設置され、散薬調剤室９５（他の調剤部門）には調剤台３０が３台（複数台・多数台）設置されている。また、搬送装置９０による搬送経路は、監査室９３の監査台５１のところから延びて、隣の錠剤調剤室９４へ至り、さらに、そこから分岐して散薬調剤室９５まで達している。
【００５９】
そして、上述したようにして再確認対象薬剤の返送先の調剤部門が提示されると、この場合、監査支援装置本体５２の処理が引き続き行われ、その制御によって薬剤１の自動返送が遂行される。具体的には、撮影台８０が開いて薬剤１が貫通穴５１ａを通過してトレイ９１上に落下する。それから、そのトレイ９１が搬送装置９０によって搬送され、その途中でプリンタ９２から印刷用紙が貫通穴５１ｃを通過してトレイ９１上に落下する。この用紙には、監査支援装置本体５２によって再確認対象に選択された薬剤１に関する情報が印刷されている。
【００６０】
薬剤１とそれに関する印刷用紙を収容したトレイ９１は、さらに搬送装置９０によって搬送され、返送先の調剤部門すなわち錠剤調剤室９４と散薬調剤室９５とのうち監査支援装置本体５２によって指示された方のところへ送りつけられる。
こうして、この調剤システムにあっては、最終監査部門から調剤部門への再確認の依頼に伴う返送作業まで自動で行われるので、最終監査者の負担が一層軽減される。しかも、その利点を維持しつつシステム拡張が容易にできる。
【００６１】
【第５実施例】
本発明の調剤システムの第５実施例について、先ず上述の各システムに用いられている錠剤分包機１０および薬剤フィーダ１３を詳述し、次にそれを改良した薬剤フィーダ２０を詳述する。
【００６２】
先ず、錠剤分包機１０について詳述すると、図５（ａ）に外観斜視図を示すとともに図１（ｂ）に内部模式図を示したが、錠剤分包機１０は、多数の薬剤フィーダ１３と、これらの薬剤フィーダ１３から排出された薬剤１を収集する薬剤収集機構１４，１５と、この薬剤収集機構１４，１５から受けた薬剤１を包装する包装装置１７とを備え、処方に応じて適宜の薬剤フィーダ１３から薬剤を排出させ、それを薬剤収集機構１４，１５で収集して下方の薬剤投入部１６へ送り込み、さらに包装装置１７で分包するものである。
【００６３】
すなわち、錠剤分包機１０の筐体内には、上の方に薬品庫１１が設けられるとともに、下の方に包装装置１７が設けられ、さらに、これらの間を薬剤収集機構としての導管１４及び収集部材１５が連絡しているが、薬品庫１１には、個々にスライドしうる複数の薬剤収納庫１２が横に並べて配設され、それぞれの薬剤収納庫１２には、数個から数十個の着脱可能な薬剤フィーダ１３が縦横に並べて格納されている。
【００６４】
各薬剤フィーダ１３は、多数の薬剤をストックする容器部と指定錠数だけ薬剤を排出する機構とを具えており、これらには薬品の種類ごとに分けて各種の薬剤が収容されている。具体的には（図１（ｃ）及び（ｄ）参照）、蓋１３ａの付いた容器部１３ｂと、隔壁１３ｄの周設された整列盤１３ｃとが、枠板１３ｅに取り付けられていて、筒部１３ｇを介して１３ｃが回転させられると、容器部１３ｂ内の薬剤１が隔壁１３ｄの間へ次々に入って整列するとともに、排出口１３ｆから逐次一錠づつ落下するようになっている。さらに、薬剤フィーダ１３は、薬剤収納庫１２に取り付けられたベース１３ｋに対して容易に着脱しうるように、モータ１３ｊの回転がスプライン軸１３ｉを介して筒部１３ｇに伝達されるものとなっている。
【００６５】
薬剤収納庫１２には（図１（ｂ）参照）、ほぼ中央を上下に延びた導管１４が組み込まれるとともに、各薬剤フィーダ１３の排出口１３ｆがベース１３ｋの貫通口１３ｈ及び適宜の延長管路等を経て近くの導管１４に連通している。そして、薬剤フィーダ１３から排出された薬剤１は、貫通口１３ｈを経て導管１４へ導かれ、導管１４内を自然落下して、収集部材１５へ案内される。このような導管１４は、それぞれの薬剤収納庫１２毎に設けられる。これにより、収集機構のうち導管１４は、多数の薬剤フィーダ１３間を並行して走る複数の案内路部分となっている。
【００６６】
収集部材１５は、薬品庫１１の下方であって包装装置１７の上方にあたるところに組み込まれ、上部開口が総ての導管１４の下端をカバーするほどに大きく開く一方、下部開口が包装装置１７の薬剤投入部１６に向けて絞られており、何れの導管１４によって案内された薬剤１でも下部開口へ向けて集めて包装装置１７へ送り込むものである。これにより、収集機構のうち収集部材１５は、総ての導管１４から包装装置１７に至る共通路部分となっている。
【００６７】
そして、用量や用法等を記した処方箋等の指定に基づく操作パネル１９の操作や上述したような入力装置９での入力あるいは処方オーダリングシステム４５からの送信などによる調剤指示に応じて、コントローラ１８の制御の下、幾つかの薬剤フィーダ１３から排出された薬剤１は、各導管１４を介して収集部材１５内へ落下し、その収集部材１５で集められて、その下方の出口から包装装置１７の薬剤投入部１６へ投入される。このような薬剤収集経路を経て、薬剤１は、包装装置１７によって包装帯２に分包される。包装装置１７は、包装帯２を所定長ずつ送り出すとともに加熱シーリングしながら分包を行う。こうして、薬剤の自動分包に際し、適宜の薬剤フィーダ１３から収集機構１４，１５を経て包装装置１７へ薬剤１が一錠またはその倍数ごとに供給されるのである。
【００６８】
さらに、その薬剤フィーダ１３について詳述すると（図５（ｄ），（ｅ）参照）、そのカセット部分には、薬剤１を収容する容器部１３ｂや，その中で回転可能な整列盤１３ｃ，これから容器部１３ｂとの環状間隙に突き出た薬剤整列用の隔壁１３ｄ，環状間隙の下端に形成された排出口１３ｆ等が設けられている。また、整列盤１３ｃの回転に伴って排出口１３ｆ上に来た隔壁１３ｄ間の薬剤１が排出口１３ｆへ落下した後にその上方から未整列の薬剤１が不所望に入り込まないよう、環状間隙の一部を水平に仕切る金属製の仕切板１３ｍが、排出口１３ｆに対向させた状態で排出口１３ｆの上方に設けられている。
【００６９】
そして、玉剤（図５（ｂ），（ｃ）参照）等からなる薬剤１を整列させるためにその形状に対応して（図５（ｄ），（ｅ）参照）、環状間隙の隙間Ｄが、薬剤１の外寸であって互いに直交する３方向の寸法のうち最も小さいものより僅かに大きくされ、隔壁１３ｄ間の距離である幅Ｗが、中間の外寸より僅かに大きくされ、仕切板１３ｍと排出口１３ｆとの距離である高さＨが、最大の外寸より僅かに大きくされる。例えば、薬剤１の形状が直径Ｍより厚さＬの小さい円板状のものである場合（図５（ｂ），（ｃ）参照）、円盤状や多角形など近い形状の薬剤１についても同様であるが、薬剤フィーダ１３において対応する隙間Ｄ，幅Ｗ，高さＨは、それぞれ、厚さＬ，直径Ｍ，直径Ｍより少しだけ大きな寸法にされる（図５（ｄ），（ｅ）参照）。
【００７０】
それらの寸法のうち、隙間Ｄや幅Ｗについては寸法誤差の許容度が比較的大きいことから、容器部１３ｂや整列盤１３ｃは硬質プラスチック等から射出成形等にてそれぞれ作成した後に組み立てれば適切に作動するが、高さＨについては、隔壁１３ｄの間に入っている他の薬剤の上に乗ったり隔壁１３ｄの上に乗っていたりして隔壁１３ｄの間に落下できないまま整列盤１３ｃの回転に伴って仕切板１３ｍに向かって来る薬剤１が仕切板１３ｍの上に乗り上げる際に仕切板１３ｍの端部によって削られたり凹まされたりしないよう、寸法誤差を小さくする必要があるので、仕切板１３ｍをネジ１３ｐでサポート１３ｎに取り付けて固定する際には、細心の注意を払って、取付位置の調整を行っていた。
【００７１】
しかしながら、このような調整作業には、その度に工数がかかるうえ、熟練者がなかなか育たない、といった不都合がある。しかも、その調整は、薬剤フィーダの製造時や錠剤分包機への装着時ばかりか、容器部から整列盤を抜き取って薬剤フィーダ内部の清掃を行った後や、分解修理の後など、使用に伴っても行われる。
そこで、仕切板の高さ調整が楽に行えるよう、或いは仕切板の高さ調整が不要になるようにすべく、仕切板等に改良が施されて、薬剤フィーダ１３が薬剤フィーダ２０となる。
【００７２】
次に、改良された薬剤フィーダ２０について、その具体的な構成を、図面を引用して説明する。図６は、その要部構造を示し、（ａ）が縦断側面図、（ｂ）が横断平面図である。また、図７は、仕切板とその保持部についての展開斜視図であり、図８は、仕切板の変形例を示す側面図である。
【００７３】
この薬剤フィーダ２０（図６参照）が上述の薬剤フィーダ１３と相違するのは、仕切板１３ｍに代えて仕切板２３が採用され、サポート１３ｎ及びネジ１３ｐに代わってサポート２１及びリテーナ２２（保持部）が採用されている点である。それらは何れも射出成形等にて作られるが、サポート２１やリテーナ２２が、容器部１３ｂや整列盤１３ｃと同様に硬質プラスチック等（硬質部材）たとえばアクリルで作られるのに対し、仕切板２３は、それより柔軟性に富んだ軟質プラスチック等（軟質部材）たとえばポリプロピレンで作られる。
【００７４】
仕切板２３は（図７参照）、基部から同じ向きに鈎爪部２３ａ（第１係着部）と挿入部２３ｂとが突き出し、それらと反対側に摘み部２３ｃが突き出ている。挿入部２３ｂは、容器部１３ｂと整列盤１３ｃとの環状間隙に挿入されて仕切機能を発揮する有効部分であり、そのために薄く形成される。その挿入状態をネジ止めの不要な係着にて簡便に確保するとともに安定な保持状態を維持するために、鈎爪部２３ａは一対の又は複数個のものが挿入部２３ｂの両脇等に分散して設けられる。
【００７５】
リテーナ２２は、容器部１３ｂの側面に貫通して従来より大きく形成された開口１３ｑを塞ぐ大きさや形になっており、仕切板２３を固定位置に保持するためにその挿入部２３ｂを差し込むとピッタリ収まる開口２２ａが貫通形成されている。このリテーナ２２は、半回転にて（具体的に図７で仮想すれば仕切板２３と容器部１３ｂとを結ぶ直線を軸にした１８０゜回転にて）上下を入れ替えても外形が変わらないで開口１３ｑを塞げるよう、さらにそのように半回転させても開口２２ａの位置が同じか上下に移動したのと同等になるよう、適宜な対称性も付与して形成されている。
【００７６】
サポート２１は、仕切板２３を係着にて保持するために、一対の鈎爪部２３ａに対応する対の小孔２１ａ（第２係着部）が多段に複数対設けられている（図７では各対のうち左側の５個が図示され右側の５個は隠れて図示されていないが、その５対が上下方向に所定ピッチで列んで形成されている）。また、その中央部には、リテーナ２２を挿着可能な開口２１ｂが貫通形成されている。さらに、その下端両側には、枠板１３ｅに係着させるための鈎爪部２１ｃが設けられている。
【００７７】
リテーナ２２の開口２２ａの位置は、サポート２１の小孔２１ａの各対の何れかに対応していて、仕切板２３の挿入部２３ｂをリテーナ２２の開口２２ａに挿入してリテーナ２２をサポート２１の開口２１ｂに填め込むと、仕切板２３の鈎爪部２３ａが対応位置の小孔２１ａに入り込むようになっている。小孔２１ａは、位置が異なるだけで総て同じ形状にされ、そのため、鈎爪部２３ａは、何れの小孔２１ａに対しても適合する。すなわち、充分に奥まで挿入されると、先端の膨らみ部分が突き出ると同時に少し開いて軽く引っかかって止まり、強く引かれると抜けるようになっている。
【００７８】
また、仕切板２３は、挿入部２３ｂが基部の中央から突き出ているもの（図８（ａ）参照）だけでも良いが、それに加えて又はそれに代えて、上か下に片寄ったところから突き出たもの（図８（ｂ），（ｃ）参照）が作られることもある。この仕切板２３の場合も、リテーナ２２と同様に半回転にて（具体的に図８で仮想すれば左右に延びた直線軸を中心にした１８０゜回転にて）上下を入れ替えると挿入部２３ｂの上下位置だけが入れ替わるよう（即ち図８（ｂ）のものを裏返すと同図（ｃ）のものになるよう）、適宜な軸対称性が付与されている。
【００７９】
この第５実施例の薬剤フィーダ２０について、その使用態様及び動作を、図面を引用して説明する。図９は、その動作状態を示す要部の縦断側面図であり、薬剤１も二点鎖線で示されている。先ず仕切板２３等の選定手順を説明し、次に仕切板２３の装着手順を説明し、最後に薬剤フィーダ２０の動作について述べる。また、ここでも取扱対称の薬剤１が直径Ｍより厚さＬの小さい円板状のものであるとする（図５（ｂ），（ｃ）参照）。
【００８０】
この場合（図９参照）、錠剤分包機１０への格納や部品の共通化等を考慮して容器部１３ｂは各種形状の薬剤に対して出来るだけ同じものを用いたいので、薬剤１の形状に対応した薬剤フィーダ２０の組立に先立つ部品製造や部品選定に際して隙間Ｄや幅Ｗをそれぞれ厚さＬや直径Ｍより少しだけ大きな適正寸法にするのは、整列盤１３ｃの外径や隔壁１３ｄのピッチ及び厚さ等を設計変更したり既製のものから適合するものを選出することで行う。
【００８１】
また、仕切板２３の高さＨを薬剤１の直径Ｍに対応させるのは、リテーナ２２や仕切板２３を幾種類か準備しておき、その中から適宜なものを選定することで行われる。サポート２１は、高さＨに拘わらず同じ形状のものが使える。リテーナ２２は、開口２２ａの位置の異なる幾種類かが用意され、その種類は、サポート２１の小孔２１ａの対と同数になるか、対称性を利用して半数強になる。図示ように小孔２１ａが５対の場合、対称なリテーナ２２は３種類となる。
【００８２】
仕切板２３は、高さＨの設定ピッチが小孔２１ａのピッチと同じで良ければ基本形状の１種類で済む（図８（ａ）参照）。高さＨの設定ピッチを小孔２１ａのピッチの１／２すなわち半分にしたいときにも、挿入部２３ｂを１／４ピッチ片寄らせるとともに軸対称性も持たせれば、やはり１種類で足りる。また、高さＨの設定ピッチを小孔２１ａの１／３ピッチにするには、基本形状のもの（図８（ａ）参照）に加えて、挿入部２３ｂを１／３ピッチ片寄らせるとともに軸対称性も持たせたもの（図８（ｂ），（ｃ）の何れか一方）があれば足り、２種類で済む。
【００８３】
さらに、高さＨの設定ピッチを小孔２１ａの１／４ピッチにするには、挿入部２３ｂを１／８ピッチ片寄らせるとともに対称性も持たせたものに加えて、挿入部２３ｂを３／８ピッチ片寄らせるとともに軸対称性も持たせたものがあれば足り、やはり２種類で済む。また、高さＨの設定ピッチを小孔２１ａの１／５ピッチにするには、基本形状のものに加えて、挿入部２３ｂを１／５ピッチ片寄らせるとともに軸対称性も持たせたものと、挿入部２３ｂを２／５ピッチ片寄らせるとともに軸対称性も持たせたものとがあれば足り、３種類で済む。
【００８４】
このように数種類のリテーナ２２や仕切板２３を準備するだけで高さＨの設定ピッチが可成り細かくなる（図示の例では、５対の小孔２１ａを持つサポート２１が１種類、リテーナ２２が３種類、仕切板２３が２種類で、設定ピッチが１５段階になる）ので、仕切板２３が仕切機能を維持するのに許容される挿入部２３ｂの変形量等を勘案して高さＨの設定ピッチを決め、それに必要な種類のリテーナ２２や仕切板２３を準備しておく。
【００８５】
それから、薬剤１に適合した高さＨを、一つ、設定ピッチに基づく多段階のうちから選出する。例えば、従来の調整による理想値が有れば、その値を上回ってそれに最も近いものを選択する。
高さＨが決まった後は、それに一致する又は最も近い小孔２１ａに対応する開口２２ａを持ったリテーナ２２を選定し、さらに、その開口２２ａに挿入すると挿入部２３ｂの位置が高さＨに一致する仕切板２３を選定する。
こうして、所定の準備の下、薬剤１の形状に対応した適切な仕切板２３やリテーナ２２が簡単に選定される。
【００８６】
次に、選定の済んだ仕切板２３を容器部１３ｂの開口１３ｑのところに装着して薬剤フィーダ２０に組み込むのであるが、それは次のようにして行われる。すなわち、仕切板２３の挿入部２３ｂをリテーナ２２の開口２２ａに差し込んで仕切板２３とリテーナ２２とを組み上げ、そのリテーナ２２をサポート２１の開口２１ｂに填め込みながら仕切板２３の鈎爪部２３ａをサポート２１の小孔２１ａに挿し入れる。
【００８７】
そして、鈎爪部２３ａと小孔２１ａとの係着が確立されたのを確かめ、それから、サポート２１を持って、その鈎爪部２１ｃを枠板１３ｅの図示しない長穴に差し込み、さらにサポート２１を容器部１３ｂに密着するまでずらして鈎爪部２１ｃと枠板１３ｅとの係着を確立させる。こうして、仕切板２３ばかりかリテーナ２２やサポート２１まで、ネジ止めすること無く、取付位置を調整することも無く、手軽に装着することができる。清掃や修理等のために取り外す場合は、逆順に作業することで、やはり容易かつ迅速に行うことができる。
【００８８】
最後に、仕切板２３等を装着した薬剤フィーダ２０の動作等を説明する。容器部１３ｂに多数の薬剤１を収容しておくことや、薬剤１を排出させるときに整列盤１３ｃを回転させて薬剤１を一つずつ排出口１３ｆの上へ送り込むことも、既述したのと同様であるが、その薬剤１の上や隔壁１３ｄの上に他の薬剤１が乗っていて、それが仕切板２３の挿入部２３ｂに当接した場合は、以下のようになる。すなわち、そのとき仕切板２３に当接するのは薬剤１の下端部分であり、大抵の薬剤１には或る程度の丸みが付与されているので、薬剤１は、その傾斜面で仕切板２３の当接部分を押し下げようとし、その反力で仕切板２３の上に乗り上げる。
【００８９】
その際、仕切板２３の挿入部２３ｂは薄くて柔らかいので薬剤１の下に潜り込むように変形して、衝突のピーク圧力や当接部位の局所圧力が分散し緩和される。これにより、排出口１３ｆに落下してはならない薬剤１は、損傷を受けることなく仕切られることとなる。
【００９０】
【第６実施例】
本発明の調剤システムの第６実施例について、それに用いられる薬剤フィーダの取扱対象が、図１０（ａ），（ｂ）に外観を示したカプセル剤であるときの薬剤フィーダ１３，２０を詳述する。カプセル剤に近い筒状や，棒状，角柱状，紡錘形などの形状を持つ薬剤を取扱対象とする場合も同様である。
【００９１】
カプセル剤等に好適な薬剤フィーダ１３には（図１０（ｃ）及び（ｄ）参照）、整列盤１３ｃの回転に伴って排出口１３ｆ上に来た隔壁１３ｄ間の薬剤１が排出口１３ｆへ落下した後にその上方から未整列の薬剤１が不所望に入り込まないよう、環状間隙の一部を水平に仕切る金属製の仕切板１３ｍが、排出口１３ｆに対向させた状態で排出口１３ｆの上方に設けられている。そして、薬剤１を整列させるためにその形状に対応して、環状間隙の隙間Ｄが、薬剤１の外寸であって互いに直交する３方向の寸法のうち最も小さいものより僅かに大きくされ、隔壁１３ｄ間の距離である幅Ｗが、中間の外寸より僅かに大きくされ、仕切板１３ｍと排出口１３ｆとの距離である高さＨが、最大の外寸より僅かに大きくされる。例えば、薬剤１の形状が直径Ｍより長さＬの大きい円筒状のものである場合（図１０（ａ），（ｂ）参照）、薬剤フィーダ１３において対応する隙間Ｄ，幅Ｗ，高さＨは、それぞれ、直径Ｍ，直径Ｍ，長さＬより少しだけ大きな寸法にされる（図１０（ｅ），（ｆ）参照）。
【００９２】
それらの寸法のうち、隙間Ｄや幅Ｗについては寸法誤差の許容度が比較的大きいのに対し、高さＨについては寸法誤差を小さくする必要があって、仕切板１３ｍをネジ１３ｐでサポート１３ｎに取り付けて固定する際に細心の注意を払って取付位置の調整を行わなればならない。その点は玉剤を取り扱うときと同様であるが、薬剤１が未整列の状態で仕切板１３ｍに当接したときの衝撃や損傷は、薬剤１が円板状の場合より円筒状の方が激しくなりがちなことから、カプセル剤等を取扱対象とする薬剤フィーダについては、隔壁１３ｄの列を仕切板１３ｍの下側だけでなく上側にも列設して、下段の隔壁での本整列に先だって上段の隔壁で予備整列を行わせるとともにそれらの間で仕切ることで、衝撃や損傷の増大を抑制するとともに、仕切板の取付位置の調整作業が一層困難になるのを回避していた。
【００９３】
そのため、カプセル剤等に好適な薬剤フィーダ１３は、隔壁が複列で、整列盤の背が高いので、その分だけ容器部も嵩上げするか収容量を切り詰める必要があり、収容効率が良くなかった。
そこで、収容効率を向上させるために隔壁の単列化を可能にするとともに、仕切板の高さ調整が楽に行えるよう或いは仕切板の高さ調整が不要になるようにすべく、仕切板等に改良が施されて、薬剤フィーダ１３が次の薬剤フィーダ２０となる。
【００９４】
次に、改良された薬剤フィーダ２０について、その具体的な構成を、図面を引用して説明する。図１１は、その要部構造を示す縦断側面図である。
この薬剤フィーダ２０（図１１参照）が上述の薬剤フィーダ１３（図１０（ｄ）参照）と相違するのは、隔壁１３ｄの段数が減っている点と、仕切板１３ｍに代えて仕切板２３が採用され、サポート１３ｎ及びネジ１３ｐに代わってサポート２１及びリテーナ２２（保持部）が採用されている点である。それらは何れも射出成形等にて作られるが、サポート２１やリテーナ２２が、容器部１３ｂや整列盤１３ｃと同様に硬質プラスチック等（硬質部材）たとえばアクリルで作られるのに対し、仕切板２３は、それより柔軟性に富んだ軟質プラスチック等（軟質部材）たとえばポリプロピレンで作られる。
【００９５】
隔壁１３ｄは、薬剤フィーダ１３と同じく薬剤１の形状に対応して幅Ｗが高さＨより短くなっているが、この場合は、予備整列用の上段の列が省かれて、本整列用の下段の列だけが残り、その結果、何れも、容器部１３ｂと整列盤１３ｃとの環状間隙のうち仕切板２３と排出口１３ｆとの間を通る環状部分に収まる。また、上段の隔壁１３ｄが無くなり、その分だけ整列盤１３ｃの背が低くなっているので、容器部１３ｂの内容積が増えて、薬剤の収容効率が向上している。換言すれば、収容量を損なうこと無く小形化することができる。なお、仕切板２３や，リテーナ２２，サポート２１は、上述した第５実施例のものと同じで良い。
【００９６】
この第６実施例の薬剤フィーダ２０について、その使用態様及び動作を、図面を引用して説明する。図１２は、その動作状態を示す要部の縦断側面図であり、薬剤１も二点鎖線で示されている。
この場合（図１２参照）、取扱対称の薬剤１が直径Ｍより長さＬの大きい円筒状カプセル剤であるから（図１０（ａ），（ｂ）参照）、仕切板２３等の選定や装着に関しては、上述した第５実施例の動作説明において隙間Ｄ，幅Ｗ，高さＨに対応付けされていた厚さＬ，直径Ｍ，直径Ｍをそれぞれ直径Ｍ，直径Ｍ，長さＬに読み替えれば良い。そこで、以下、仕切板２３等を装着した薬剤フィーダ２０の動作等を説明する。
【００９７】
そうすると、容器部１３ｂに多数の薬剤１を収容しておくことや、薬剤１を排出させるときに整列盤１３ｃを回転させて薬剤１を一つずつ排出口１３ｆの上へ送り込むことも、既述したのと同様であるが、この場合、予備整列は行われず、いきなり本整列が行われる。また、その際、整列した薬剤１の上や隔壁１３ｄの上に未整列の他の薬剤１が乗っていて、それが仕切板２３の挿入部２３ｂに当接した場合は、以下のようになる。
【００９８】
すなわち、そのとき仕切板２３に薬剤１の筒外周面が当接するのは薬剤１が仕切板２３側の端部を仕切板２３より上にして傾斜しているときであり、また、それ以外は仕切板２３に薬剤１の端部が当接するが、大抵の薬剤１では端部に或る程度の丸みが付与されているので、何れの場合であっても、薬剤１は、その傾斜面で仕切板２３の当接部分を押し下げようとし、その反力で仕切板２３の上に乗り上げる。
【００９９】
その際、仕切板２３の挿入部２３ｂは薄くて柔らかいので薬剤１の下に潜り込むように変形して、衝突のピーク圧力や当接部位の局所圧力が分散し緩和される。これにより、排出口１３ｆに落下してはならない薬剤１は、それがカプセル剤であっても、損傷を受けることなく仕切られることとなる。
【０１００】
【第７実施例】
図１３に要部構造を示した薬剤フィーダ２０が上述した第６実施例のものと相違するのは、整列盤１３ｃの外周面に一巡する溝２４が彫り込み形成されている点と、仕切板２３の挿入部２３ｂが長くなっていてその先端部が溝２４の中に入り込んでいる点と、挿入部２３ｂが平板状でなく鋸歯状に形成されている点である。
【０１０１】
この場合、溝２４の幅が仕切板２３の挿入部２３ｂの厚さより少し大きくて、仕切板２３の先端が溝２４に遊挿されるようになっているので、仕切板２３の先端は、整列盤１３ｃの回転を妨げること無く整列盤１３ｃによって上下動を規制される。その結果、仕切板２３の挿入部２３ｂは、薬剤１と当接した際、しなやかに変形するも、十分な反発力を生み出すことができる。
【０１０２】
【第８実施例】
図１４に外観を示した薬剤フィーダ２０が上述した第５〜第７実施例のものと相違するのは、サポート２１に加えて把手２５も着脱可能になっている点と、中の見本の見える見本収納室２６ａが蓋２６に形成されこの蓋２６が容器部１３ｂに対しヒンジ２６ｂにて開閉可能に連結されている点である。
【０１０３】
この場合、鈎爪部２１ｃを長穴に差し込んでからサポート２１を押し進めると、鈎爪部２１ｃが係着するとともに突子２１ｄも対向穴に嵌合して、サポート２１が簡単に而も確実に装着される。同様に、鈎爪部２５ｂを長穴に差し込んでから把手２５を押し進めると、鈎爪部２５ｂが係着するとともに突子２５ａも対向穴に嵌合して、把手２５が簡単に而も確実に装着される。また、薬剤１を補充するとき等に、蓋２６を開閉しても、蓋２６が外れることは無く、それに納められている見本が離れてしまうことも無いので、いつでも確実に而も簡単に薬剤１を見本と突き合わせて確認することができる。
【０１０４】
【その他】
なお、上記の各実施例では、錠剤や散薬の調剤について述べたが、薬剤は、それに限られる訳でなく、ＰＴＰ包装剤や、注射薬アンプル、輸液バッグ等も該当する。また、調剤機器も、上述した錠剤分包機や調剤台に限られず、散薬分包機、注射薬や貼付剤の払出装置、薬品収納装置など、識別情報を添付可能な薬剤容器を用いる調剤機器であれば該当する。
【０１０５】
さらに、識別情報およびその読取装置は、バーコード方式のものとデータキャリア方式のものとを上述したが、それに限られるものでなく、例えば、磁石とホール素子とを列設させる方式や、プッシュスイッチを列設させる方式でも良い。また、データキャリア方式等に関しても、ＩＣカードのように電気導通のための接触端子をもつものでも良く、電磁結合や光伝送等に基づき接触不要で読み取れるものでも良い。
【０１０６】
また、上記の第４実施例で述べたプリンタ９２は、一般的な印字装置に限られず、例えばバーコードラベルプリンタでも良く、それで作成する再確認指示箋も、一般的なプリント用紙に限られず、薬剤１や薬袋などに貼付可能なシール等でも良い。
【０１０７】
【発明の効果】
以上の説明から明らかなように、本発明の第１の解決手段の調剤システムにあっては、薬剤情報の自動収集等を直接的に行うのでなく薬剤容器の識別情報を利用して間接的に行うようにしたことにより、処方箋情報と薬剤情報との対比提示等を統一的に処理しうる調剤システムを実現でき、その結果、最終監査者の負担軽減を進めることができたという有利な効果が有る。
【０１０８】
また、本発明の第２の解決手段の調剤システムにあっては、薬剤容器の識別情報を利用して処方箋情報と薬剤情報との対比提示ばかりかパターン認識まで統一的に処理可能なようにしたことにより、自動監査の精度および処理能力が向上し、その結果、最終監査者の作業負担を更に軽減することができたという有利な効果を奏する。
【０１０９】
さらに、本発明の第３の解決手段の調剤システムにあっては、薬剤容器の識別情報を利用して処方箋情報と薬剤情報との対比提示ばかりか再確認担当の調剤部門の提示まで統一的に処理可能なようにしたことにより、調剤監査からやり直すのが簡単になり、その結果、最終監査者の作業負担を更に軽減することができるうえ、最終監査の確度を向上させることもできたという有利な効果が有る。
【０１１０】
また、本発明の第４の解決手段の調剤システムにあっては、薬剤容器の識別情報を利用して処方箋情報と薬剤情報との対比提示ばかりか再確認担当の調剤部門への薬剤返送まで統一的に処理可能なようにしたことにより、調剤監査からやり直すのが極めて簡単になり、その結果、最終監査者の作業負担を更に軽減することができるうえ、最終監査の確度を向上させることもできたという有利な効果を奏する。
【図面の簡単な説明】
【図１】  本発明の調剤システムの第１実施例について、（ａ）が全体ブロック図、（ｂ）が錠剤分包機の内部構造を示す模式図、（ｃ）がそれに多数組み込まれている薬剤フィーダの側面外観図、（ｄ）がその縦断側面図である。
【図２】  本発明の調剤システムの第２実施例について、監査支援装置のブロック図である。
【図３】  本発明の調剤システムの第３実施例について、監査支援装置のブロック図である。
【図４】  本発明の調剤システムの第４実施例について、（ａ）が監査支援装置の概要正面図、（ｂ）がシステム全体の配置を示す概要平面図である。
【図５】  本発明の調剤システムの第５実施例に関する課題を説明するためのものであり、（ａ）が錠剤分包機の外観斜視図、（ｂ）が玉剤の側面図、（ｃ）がその平面図、（ｄ）が玉剤等に好適な薬剤フィーダの要部の縦断側面図、（ｅ）がその横断平面図である。
【図６】  本発明の調剤システムの第５実施例について、その薬剤フィーダの要部構造を示し、（ａ）が縦断側面図、（ｂ）が横断平面図である。
【図７】        その仕切板とその保持部についての展開斜視図である。
【図８】        その仕切板の変形例である。
【図９】        その動作状態を示す要部の縦断側面図である。
【図１０】  本発明の調剤システムの第６実施例に関する課題を説明するためのものであり、（ａ）がカプセル剤の側面図、（ｂ）がその平面図、（ｃ）がカプセル等に好適な薬剤フィーダの側面外観図、（ｄ）がその縦断側面図、（ｅ）がその要部の縦断側面図、（ｆ）がその横断平面図である。
【図１１】  本発明の調剤システムの第６実施例について、その薬剤フィーダの要部構造を示す縦断側面図である。
【図１２】      その動作状態を示す図である。
【図１３】  本発明の調剤システムの第７実施例について、その薬剤フィーダの要部構造を示し、（ａ）が要部の縦断側面図、（ｂ）が仕切板の平面図である。
【図１４】  本発明の調剤システムの第８実施例について、その薬剤フィーダの外観を示し、（ａ）が展開側面図、（ｂ）が平面図、（ｃ）が側面図である。
【符号の説明】
１    薬剤（円板状薬剤、玉剤、カプセル剤、円筒状薬剤、錠剤）
２    包装帯
７    データキャリア（識別情報の担体）
８    データリーダ（識別情報の読取装置）
９    入力装置（キーボード、ＯＣＲ、調剤情報の入力手段）
１０  錠剤分包機（自動調剤装置、調剤機器）
１１    薬品庫（薬品棚部、薬剤収納庫格納部）
１２    薬剤収納庫（薬剤フィーダ格納ユニット）
１３    薬剤フィーダ
１３ｂ      容器部（カップ、薬剤収容部、薬剤容器）
１３ｃ      整列盤（ロータ、整列部材）
１３ｄ      隔壁（成形羽根、翼状突起、整列部材）
１３ｆ      排出口（落下口）
１３ｋ      ベース（固定部）
１３ｍ      仕切板（金属の仕切部材）
１４    導管（ダクト、シュート、案内路、上部薬剤収集経路）
１５    収集部材（ホッパ状・漏斗状部材、下部薬剤収集経路）
１６    薬剤投入部（収集薬剤投入口）
１７    包装装置
１８    コントローラ（制御装置）
２０    薬剤フィーダ
２１        サポート（支持枠、仕切板の保持部）
２１ａ          小孔（ネジ止め無用の着脱手段および位置決め手段）
２１ｂ          開口（リテーナ填め込み用の貫通穴）
２１ｃ          鈎爪部（着脱可能な係着部、ネジ止め無用の着脱手段）
２１ｄ          突子（差込部、挿抜部、ネジ止め無用の着脱手段）
２２        リテーナ（保持器、仕切板の保持部）
２２ａ          開口（仕切板差し込み貫通穴）
２３        仕切板（軟質の仕切部材）
２３ａ          鈎爪部（着脱可能な係着部、ネジ止め無用の着脱手段）
２３ｂ          挿入部（先端薄板部、有効仕切り部）
２３ｃ          摘み部（後端露出部）
２４        溝
２５        把手（ハンドル、取っ手）
２５ａ          突子（差込部、挿抜部、ネジ止め無用の着脱手段）
２５ｂ          鈎爪部（着脱可能な係着部、ネジ止め無用の着脱手段）
２６        蓋（上蓋）
２６ａ          見本収納室（確認用薬剤の現物を収納する小空間）
２６ｂ          ヒンジ（軸支部、蝶番式回転支持部）
３０  調剤台（調剤機器）
３１      入力装置（キーボード、ＯＣＲ、調剤情報の入力手段）
３２      バーコードリーダ（識別情報の読取装置）
３３      薬剤瓶（薬剤容器）
３４      バーコードラベル（識別情報の担体）
４０  情報収集手段（ＬＡＮ、有線・無線の通信手段）
４５  処方オーダリングシステム（処方箋情報の集中提供手段）
５０  監査支援装置
５１      監査台（監査支援装置本体等の台座、最終監査作業台）
５１ａ        貫通穴（返送薬剤落下用の穴、薬剤返送補助手段）
５１ｂ        窓（トレイ挿入用の穴、薬剤返送補助手段）
５１ｃ        貫通穴（再確認指示箋落下用の穴、薬剤返送補助手段）
５２      監査支援装置本体（情報処理装置、検索手段および提示手段）
５３          画像データ（フレームメモリ）
５４          画像処理ルーチン（パターン認識処理および計数処理）
５５          選択ルーチン（再確認対象の選択手段）
５６          検索ルーチン（調剤部門の検索手段）
５７          提示ルーチン（調剤部門の提示手段）
６０      記憶装置（ハードディスク、不揮発性メモリ）
６１          対応表（識別情報と薬剤コードとの対応関係の保持手段）
６２          薬品マスターファイル（薬剤情報の保持手段）
６３          対応表（識別情報と特徴データとの対応関係の保持手段）
６４          特徴データファイル（特徴データの保持手段）
６５          対応表（識別情報と調剤部門との対応関係の保持手段）
７０      ディスプレイ（処方箋情報および付加情報の提示装置）
７１          処方箋情報表示領域（処方箋情報の提示手段）
７２          薬剤情報表示領域（薬剤情報の提示手段）
７３          調剤部門表示（調剤部門の提示手段）
８０      撮影台（撮像補助手段）
８１      カメラ（撮像装置、撮像手段）
８２      モニタ画面（撮像視認手段）
８３      認識画面（認識結果視認手段）
８４      マウス（再確認対象薬剤の選択手段）
８５      キーボード（再確認対象薬剤の選択手段）
９０      搬送装置（薬剤返送手段）
９１      トレイ（搬器、薬剤返送補助手段）
９２      プリンタ（再確認指示箋の出力手段、薬剤返送補助手段）
９３      監査室（最終監査部門）
９４      錠剤調剤室（調剤部門）
９５      散薬調剤室（調剤部門）
【図１】
0004484097.tif 000002
【図２】
0004484097.tif 000003
【図３】
0004484097.tif 000004
【図４】
0004484097.tif 000005
【図５】
0004484097.tif 000006
【図６】
0004484097.tif 000007
【図７】
0004484097.tif 000008
【図８】
0004484097.tif 000009
【図９】
0004484097.tif 000010
【図１０】
0004484097.tif 000011
【図１１】
0004484097.tif 000012
【図１２】
0004484097.tif 000013
【図１３】
0004484097.tif 000014
【図１４】
0004484097.tif 000015